(57)【要約】【課題】リードバルブの開放時間を短縮できるコンプレッサの提供を図る。【解決手段】コンプレッサ１０は、シリンダ室２２と第一の吐出室１３Ａとを連通する吐出孔４３と、その吐出孔４３を開閉する（吐出弁）リードバルブ５０と、前記リードバルブ５０の開限位置を規制するバルブサポート５１と、を備え、前記バルブサポート５１に、開限位置の前記リードバルブ５０の背面を部分的に露出させる開部６０を備える。【選択図】図４
2008280862.tif 000002
【特許請求の範囲】
【請求項１】
流体を吸入して圧縮し、吐出するコンプレッサ（１０）であって、
シリンダ室（１２）と吐出室（１３Ａ、１３Ｂ）とを連通する吐出孔（４３）を開閉するリードバルブ（５０）と、前記リードバルブ（５０）の開限位置を規制するバルブサポート（５１）と、を備え、前記バルブサポート（５１）に、開限位置の前記リードバルブ（５０）の背面を部分的に露出させる開部（６０，６０Ｂ、６０Ｃ）を設けたことを特徴とするコンプレッサ（１０）。
【請求項２】
請求項１に記載したコンプレッサ（１０）であって、
前記開部（６０，６０Ｂ）は、前記バルブサポート（５１、５１Ｂ）の長手方向に向かって中央部より先端側に設けられていることを特徴としたコンプレッサ（１０）。
【請求項３】
請求項２に記載したコンプレッサ（１０）であって、
前記開部（６０）は、前記バルブサポート（５１）の長手方向先端に切り欠き状に設けられていることを特徴としたコンプレッサ（１０）。
【請求項４】
請求項１〜３のいずれかに記載したコンプレッサ（１０）であって、
前記バルブサポート（５１，５１Ｂ、５１Ｃ）の先端近傍に、前記リードバルブ（５０）の座面（５４）から、ほぼ前記開部（６０，６０Ｂ、６０Ｃ）の開口方向に向けて立ち上がるガイド面（５５）が設けられていることを特徴としたコンプレッサ（１０）。
【発明の詳細な説明】
【技術分野】
【０００１】
本発明はコンプレッサに関し、特にコンプレッサのバルブサポートに関する。
【背景技術】
【０００２】
従来のコンプレッサは、吸入室とシリンダ室とを連通する吸入孔と、シリンダ室と吐出室を連通する吐出孔と、吐出孔を開閉するリードバルブと、リードバルブの開限位置を規制するバルブサポートと、を備えて構成される（例えば特許文献１参照）。このコンプレッサでは、シリンダ室の容積の変化に伴い、流体が吸入室から吸入孔を通りシリンダ室へと吸入されて、シリンダ室内で圧縮される。そして、シリンダ室内で圧縮された流体は、吐出孔を通りリードバルブを押し上げて、吐出室へと吐出される。その時に、リードバルブが一定の高さ以上押し上げられないように、バルブサポートが設置されている構造となっている。
【特許文献１】特開２００４−３０８４２８号
【発明の開示】
【発明が解決しようとする課題】
【０００３】
しかしながら、上記した従来技術のコンプレッサでは、リードバルブがバルブサポートに張り付いてしまい、リードバルブの開いている時間が長くなってしまう。そのため、ふさがれていないリードバルブの吐出孔から、圧縮して吐出室へと送り出された流体がシリンダ室内部へと戻ってしまい、シリンダ室内で再圧縮されることになり、圧縮効率の低下を招いてしまう。
【０００４】
そこで、本発明はリードバルブの開放時間を短縮させ、圧縮効率を向上させたコンプレッサの提供を目的とする。
【課題を解決するための手段】
【０００５】
請求項１に記載の発明は、流体を吸入して圧縮し、吐出するコンプレッサであって、
シリンダ室と吐出室とを連通する吐出孔を開閉するリードバルブと、前記リードバルブの開限位置を規制するバルブサポートと、を備え、前記バルブサポートに、開限位置の前記リードバルブの背面を部分的に露出させるための開部を設けたことを特徴とする。
【０００６】
請求項２に記載の発明は、請求項１に記載したコンプレッサであって、前記開部は、前記バルブサポートの長手方向に向かって中央部より先端側に設けられていることを特徴とする。
【０００７】
請求項３に記載の発明は、請求項２に記載したコンプレッサであって、前記開部は、前記バルブサポートの長手方向先端に切り欠き状に設けられていることを特徴とする。
【０００８】
請求項４に記載の発明は、  請求項１〜３のいずれかに記載したコンプレッサであって、前記バルブサポートの先端近傍に、前記リードバルブの座面から、ほぼ前記開部の開口方向に向けて立ち上がるガイド面が設けられていることを特徴とする。
【発明の効果】
【０００９】
請求項１に記載の発明によれば、吐出工程が終了した後に吐出室から吐出孔を通じてシリンダ室へと逆流する流体が、バルブサポートの開部を通じてリードバルブへ当たるため、リードバルブの開放時間を短縮することができる。
【００１０】
請求項２に記載の発明によれば、開部の位置をバルブサポートの長手方向に向かって中央部より先端側に設けることで、後方側に設けるよりも弱い力で、リードバルブを閉鎖することができる。
【００１１】
請求項３に記載の発明によれば、請求項２の作用、効果を最大限に発揮できる。
【００１２】
請求項４に記載の発明によれば、吐出工程が終了した後に吐出室から吐出孔を通じてシリンダ室へと逆流する流体が、ガイド面でガイドされ開部の開口方面へ向かうため、請求項１〜３の作用、効果がより一層向上する。
【発明を実施するための最良の形態】
【００１３】
まず、図１〜図９をもとに、本発明の一実施形態を説明する。
【００１４】
図１は、本実施形態のコンプレッサが適用される冷凍サイクルの概略図である。
【００１５】
本実施形態のコンプレッサ１０は、自動車の空調装置の冷凍サイクルに適用されるものである。冷凍サイクル１は、図１に示すようにコンプレッサ１０，コンデンサ２，膨張弁３，エバポレータ４および気液分離器５を順に接続して構成されており、コンプレッサ１０で圧縮した加圧冷媒は、コンデンサ２に送られて冷却された後に膨張弁３で断熱膨張されて低温化し、この低温冷媒がエバポレータ４に通して空調風と熱交換した後にコンプレッサ１０に戻るようになっている。なお、エバポレータ４からコンプレッサ１０への戻り冷媒は、途中の気液分離器５によって気液分離され、気相状態の冷媒のみがコンプレッサ１０に戻るようになっている。
【００１６】
次に、本実施形態のコンプレッサについて説明する。図２は本実施形態のコンプレッサの断面図であり、図３は図２のＥ−Ｅ断面図である。
【００１７】
コンプレッサ１０は、流体としての冷媒を吸入して圧縮し、吐出するものである。このコンプレッサ１０は、図２に示すように、ハウジング１１内に圧縮機本体２０と、この圧縮機本体２０の駆動部としての電動モータ３０と、が配置されて構成されている。
【００１８】
このコンプレッサのハウジング１１は、容器状の第１ハウジング１１Ａと蓋状の第２ハウジング１１Ｂとをボルト等で結合することにより形成され、密閉された箱形状となっている。
【００１９】
ハウジング１１内の空間は、圧縮機本体２０により区画されて、圧縮機本体２０を挟んで図２中右側に吸入室１２が設けられる一方、図２中左側に吐出室１３Ｂが設けられていている。
【００２０】
本実施形態の圧縮機本体２０は、ベーンを有するベーン式ロータリー圧縮機として構成されている。圧縮機本体２０は、内周が滑らかな非円形状に形成されたシリンダ室２２を有するシリンダブロック２１と、このシリンダ室２２内に回転自在に収納されたコンプロータ２３と、このコンプロータ２３の外周から所定間隔をもって出没自在に配置されて先端がシリンダ室２２の内周に摺接するベーン２４（図３参照）と、シリンダブロック２１の軸方向両側に接合されて前記シリンダ室２２の軸方向両側を閉塞するとともにコンプロータ２３が摺動接触するサイドブロック２５，サイドブロック２６と、を備えて構成されている。
【００２１】
サイドブロック２６には、吸入室１２とシリンダ室２２とを連通する吸入孔４１が設けられ、シリンダブロック２１には、シリンダ室２２と第１の吐出室１３Ａとを連通する径方向にのびる吐出孔４３（図３参照）が設けられ、サイドブロック２５には、第１の吐出室１３Ａと第２の吐出室１３Ｂを連通する、軸方向にのびる連通孔４５が設けられている。なお、シリンダブロック２１の外周には、Ｌ字状の切欠部が設けられており、このＬ字状の切欠部が第１の吐出室１３Ａを形成している。
【００２２】
コンプロータ２３が回転すると、ベーン２４の出没に伴いつつシリンダ室２２の周方向の容積が変化して、これにより吸入孔４１からシリンダ室２２に吸入される低圧冷媒がシリンダ室２２で圧縮される。この圧縮された高圧冷媒がシリンダ室２２から吐出孔４３を通じて第１の吐出室１３Ａに吐出され、連通孔４５を通じて第２の吐出室１３Ｂへと流れていく。第２の吐出室１３Ｂに吐出された高圧冷媒は吐出ポート１５から外部（導出配管）へ吐出される。
【００２３】
次に、図３〜図９に基づいて吐出孔４３を開閉する吐出弁機構について説明する。
【００２４】
吐出弁機構は、吐出孔４３を開閉する（吐出弁）リードバルブ５０と、前記リードバルブ５０をサポートするバルブサポート５１と、を備える。
【００２５】
図８に示すようにシリンダブロック２１の座面５４に、スペーサ５２、リードバルブ５０、バルブサポート５１を積層して、リードバルブ５０とバルブサポート５１の長手方向基端部を締結手段としてのボルト５３で固定している。リードバルブ５０は、基端側５０ａがスペーサ５２によって座面５４から離間しており、長手方向中間部５０ｂで座面側に向けて湾曲し、長手方向先端部５０ｃが吐出孔４３をふさいでいる。
【００２６】
圧縮行程の終盤になると、シリンダ室２２で圧縮された高圧冷媒が、吐出孔４３をふさいでいるリードバルブ５０を押し上げて第１の吐出室１３Ａに吐出される。また、リードバルブ５０の開きすぎを防止するため、リードバルブ５０背面側にバルブサポート５１があり、これがリードバルブ５０の背面を受けとめて、一定高さ以上のリードバルブ５０の押し上げを防いでいる。
【００２７】
このとき、コンプロータ２３の回転速度が速くリードバルブ５０の押し上げ量が大きい場合、リードバルブ５０がバルブサポート５１に張り付いてしまうので、それを防止するためにバルブサポート５１の先端に切り欠き状の開部６０が設けられている（図７参照）。なお、開部６０はＵ字状に形成されている。
【００２８】
また、バルブサポート５１の近傍に、リードバルブ５０の座面５４から、ほぼ開部６０の開口方向（図９の矢示参照）に向けて立ち上がるガイド面５５が設けられている。（図８，９参照）
以下、本実施形態の効果を列挙する。
【００２９】
第一に、シリンダ室２２で圧縮された高圧冷媒は、吐出孔４３をふさいでいるリードバルブ５０を押し上げて第１の吐出室１３Ａへ吐出されるが、本実施形態ではバルブサポート５１の先端に開部６０が設けられているため、リードバルブ５０の張り付きを防止できる。そのため、リードバルブ５０の開放時間を短縮でき、吐出室１３Ａからシリンダ室２２内部へと逆流してしまう冷媒を少なくできる。これによりシリンダ室２２での再圧縮を防ぐことができ、圧縮効率の向上を図れる。
【００３０】
第二に、本実施形態では開部６０がバルブサポート５１の長手方向に向かって中央部より先端側に設けられているので、比較的弱い力でリードバルブ５０を座面５４側に押し戻して、吐出孔４３を閉鎖することができる。
【００３１】
第三に、本実施形態では開部６０がバルブサポート５１の先端に設けられているので、上記第二の効果をより確実に得られる。
【００３２】
第四に、バルブサポート５１の近傍に、リードバルブ５０の座面５４から、ほぼ開部６０の開口方向に向けて立ち上がるガイド面５５を設けたため、吐出室１３Ａから吐出孔４３へ向けて逆流する冷媒をガイド面５５で、開部６０の開口方向へガイドできるため、上述した効果を最大限発揮することができる。
【００３３】
なお、本発明は、上述の実施形態のみに限定解釈されるべきではない。例えば、上述の実施形態では、バルブサポート５１の先端に切り欠き状の開部６０が設けられているが、図１０に示すバルブサポート５１Ｂのように、開部６０Ｂが孔形状であっても良いし、また図１１に示すバルブサポート５１Ｃのように、開部６０Ｃがバルブサポート５１Ｃの外周縁にほぼ沿って形成されていても良い。また、本発明の技術的思想の範囲内で様々な変更がなし得る。
【図面の簡単な説明】
【００３４】
【図１】本発明の一実施形態における電動コンプレッサが用いられる冷凍サイクルを概略的に示す図である。
【図２】同電動コンプレッサの断面図である。
【図３】図２のＥ−Ｅ断面図である。
【図４】図３中の矢視Ｆ方向からみた吐出弁機構の側面図である。
【図５】図３中の矢視Ｆ方向からみたシリンダブロックの座面を示す側面図である。
【図６】同吐出弁機構のリードバルブの側面図である。
【図７】同吐出弁機構のバルブサポートの側面図である。
【図８】シリンダブロックの吐出孔付近を表す要部拡大断面図を示し、リードバルブの閉鎖時である。
【図９】シリンダブロックの吐出孔付近を表す要部拡大断面図を示し、リードバルブの開閉時である。
【図１０】バルブサポートの第１の変形例を示す側面図である。
【図１１】バルブサポートの第２の変形例を示す側面図である。
【符号の説明】
【００３５】
１・・・冷凍サイクル
１０・・・電動コンプレッサ
１１・・・ハウジング
１２・・・吸入室
１３Ａ・・・第１の吐出室（吐出室）
１３Ｂ・・・第２の吐出室（吐出室）
１４・・・吸入ポート
１５・・・吐出ポート
２０・・・圧縮機本体
２１・・・シリンダブロック
２２・・・シリンダ室
２３・・・コンプロータ
２４・・・ベーン
２５・・・吐出室側サイドブロック
２６・・・吸入室側サイドブロック
３０・・・電動モータ
４１・・・吸入孔
４３・・・吐出孔
４５・・・連通孔
５０・・・リードバルブ
５１・・・バルブサポート
５２・・・スペーサ
５３・・・ボルト
５４・・・座面
５５・・・ガイド面
６０・・・開部
【図１】
2008280862.tif 000003
【図２】
2008280862.tif 000004
【図３】
2008280862.tif 000005
【図４】
2008280862.tif 000006
【図５】
2008280862.tif 000007
【図６】
2008280862.tif 000008
【図７】
2008280862.tif 000009
【図８】
2008280862.tif 000010
【図９】
2008280862.tif 000011
【図１０】
2008280862.tif 000012
【図１１】
2008280862.tif 000013